(57)【要約】【課題】内周面を製氷面とする内側円筒とこの内側円筒と同心的に立設する外側円筒との間に形成された冷媒空間を少なくとも２段以上の冷媒空間としたときに、上段の冷媒空間から下段の冷媒空間に冷媒が流れ落ちることのないドラム式製氷機を提供する。【解決手段】製氷ドラム１０は、内周面を製氷面として立設する内側円筒１１と、この内側円筒１１と同心的に立設して内側円筒１１との間に冷媒が通る冷媒空間Ｓを形成させる上段外側円筒１３及び下段外側円筒１４と、内側円筒１１の外周面に溶着されてその軸線方向の中間部に冷媒空間Ｓを上下２段の冷媒空間Ｓ１，Ｓ２に隔てる環状の隔壁部材１５とを備えて、上段外側円筒１３の下端と下段外側円筒１４の上端を隔壁部材１５に液密に溶着した。【選択図】図２
2009168407.tif 000002
【特許請求の範囲】
【請求項１】
内周面を製氷面とする内側円筒と、この内側円筒と同心的に立設して同内側円筒との間に冷媒が通る冷媒空間を形成させる外側円筒と、前記内側円筒の外周面に溶着して前記冷媒空間を少なくも上下二段に隔てる環状の隔壁部材と、前記内側円筒の外周面に溶着して前記各冷媒空間に螺旋状の冷媒通路を形成させる仕切部材とを備え、前記各冷媒通路に冷媒を循環させることで前記内側円筒の製氷面を冷却して同製氷面に製氷水を流下して製氷するドラム式製氷機において、
前記外側円筒は前記隔壁部材となる位置で分かれる少なくとも上下二段の円筒より構成され、各円筒を前記隔壁部材に液密に溶着したことを特徴とするドラム式製氷機。
【発明の詳細な説明】
【技術分野】
【０００１】
本発明は、ドラム式製氷機に関し、内側円筒と外側円筒との間に形成される冷媒空間を少なくとも上下二段とするドラム式製氷機に関する。
【背景技術】
【０００２】
特許文献１には、内周面を製氷面とする内側円筒と、この内側円筒と同心的に立設して同内側円筒との間に冷媒が通る冷媒空間を形成させる外側円筒と、内側円筒の外周面に溶着して冷媒空間に螺旋状の冷媒通路を形成させる仕切部材とからなる製氷ドラムを備え、製氷ドラムの冷媒通路の下端に設けられた冷媒流入口から冷媒を流入させ、冷媒通路の上端に設けられた冷媒流出口から冷媒を流出させることで内側円筒の製氷面を冷却して、製氷面に製氷水を流下して製氷するドラム式製氷機が開示されている。このドラム式製氷機は、製氷能力を上げるために内側円筒と外側円筒の全長を長くして製氷面を大きくしているが、冷媒通路の単位体積当たりの冷媒量が減少することで冷媒通路の冷媒流出口付近となる製氷面の上部に氷の出来が悪くなる問題があった。この問題に対処するために、特許文献１のドラム式製氷機は、内側円筒の外周面に冷媒空間を上下方向に隔てる環状の隔壁部材を二箇所に溶着して上下に三段の冷媒空間を形成するようにし、冷媒を上下三段の各冷媒空間の冷媒通路にそれぞれ供給するようにして製氷面の上部に氷ができにくくならないようにしている。
【特許文献１】実開昭５７ー００２３７６号公報
【発明の開示】
【発明が解決しようとする課題】
【０００３】
上記のドラム式製氷機においては、製氷ドラムを製造するときには、内側円筒の外周面に仕切部材と隔壁部材とを溶着し、これらを取り付けた内側円筒に外側円筒を焼き嵌めにより固定している。内側円筒に外側円筒を焼き嵌めして固定したときには、隔壁部材が外側円筒に液密に固定されずに隙間ができることがある。このような状態で上下三段の各冷媒空間に形成された冷媒通路に冷媒を流入させると、上段または中段の冷媒空間内の冷媒が外側円筒と隔壁部材との間の隙間からそれぞれの下側となる中段または下段の冷媒空間に流れ落ちて上段または中段の冷媒空間に十分な冷媒が供給されないことがある。その結果、製氷面の中間部から上部が十分に冷却されなくて製氷能力が低下する問題があった。本発明は、このような問題を解決するドラム式製氷機を提供することを目的とする。
【課題を解決するための手段】
【０００４】
本発明は上記課題を解決するため、内周面を製氷面とする内側円筒と、この内側円筒と同心的に立設して同内側円筒との間に冷媒が通る冷媒空間を形成させる外側円筒と、内側円筒の外周面に溶着して冷媒空間を少なくも上下二段に隔てる環状の隔壁部材と、内側円筒の外周面に溶着して各冷媒空間に螺旋状の冷媒通路を形成させる仕切部材とを備え、各冷媒通路に冷媒を循環させることで内側円筒の製氷面を冷却して同製氷面に製氷水を流下して製氷するドラム式製氷機において、外側円筒は隔壁部材となる位置で分かれる少なくとも上下二段の円筒より構成され、各円筒を隔壁部材に液密に溶着したことを特徴とするドラム式製氷機を提供するものである。
【０００５】
上記のように構成したドラム式製氷機においては、外側円筒は隔壁部材となる位置で分かれる少なくとも上下二段の円筒より構成され、各円筒を隔壁部材に液密に溶着しているので、上段の冷媒空間から下段の冷媒空間に冷媒が流れ落ちることなく、上段の冷媒空間で冷媒が不足することがない。これにより、内側円筒の製氷面では、中間部から上部に冷媒が不足して氷ができにくくなることで製氷能力が低下することがない。
【発明を実施するための最良の形態】
【０００６】
以下、本発明によるドラム式製氷機の一実施形態を図面を用いて説明する。図１及び図２に示すように、このドラム式製氷機は、貯氷庫Ｈの上に設置されるものであり、製氷ドラム１０を備えている。製氷ドラム１０は、内周面を製氷面として立設する内側円筒１１と、この内側円筒１１と同心的に立設して内側円筒１１との間に冷媒が通る冷媒空間Ｓを形成させる外側円筒１２とを備えている。内側円筒１１の外周面には、その軸線方向の中間部に環状の隔壁部材１５が液密に溶着されており、この隔壁部材１５は冷媒空間Ｓを上下二段の冷媒空間Ｓ１，Ｓ２に隔てるものである。内側円筒１１の外周面には、螺旋状の仕切部材１６，１６が溶着されており、これら仕切部材１６，１６により上下二段の冷媒空間Ｓ１，Ｓ２に螺旋状の冷媒通路をそれぞれ形成させる。
【０００７】
図１及び図２に示すように、外側円筒１２は、隔壁部材１５となる位置で分かれる２つの上段外側円筒１３、下段外側円筒１４より構成される。内側円筒１１と外側円筒１２の上端及び下端にはフランジ１７、１８が設けられており、内側円筒１１の上端と上段外側円筒１３の上端とがフランジ１７に液密に溶着されており、内側円筒１１の下端と下段外側円筒１４の下端とがフランジ１８に液密に溶着されている。上段外側円筒１３の下端と下段外側円筒１４の上端は、隔壁部材１５に液密に溶着されている。上段外側円筒１３と下段外側円筒１４には、それぞれの下端部に冷媒が流入する冷媒流入口１３ａ，１４ａと、それぞれの上端部に冷媒が流出する冷媒流出口１３ｂ，１４ｂとが設けられている。また、図１に示すように、製氷ドラム１０の外側円筒１２の外周面は、断熱材２０により周囲を覆われて筒形のケース２１に収容されるとともに、上面に蓋板２２が被せられている。
【０００８】
この製氷ドラム１０の製造工程についてさらに詳細に説明する。図３（ａ）に示すように、この製氷ドラム１０では、内側円筒１１に下側のフランジ１８と隔壁部材１５と上下の仕切部材１６，１６とを液密に溶着する。図３（ｂ）に示すように、これらを溶着した内側円筒１１に下段外側円筒１４を焼き嵌めにより固定する。下段外側円筒１４の上端に１ｍｍのスペーサを置いた状態にして、この下段外側円筒１４を嵌めた内側円筒１１に上段外側円筒１３を焼き嵌めにより固定し、このスペーサを取り外した後で、図３（ｃ）に示すように（特に一部拡大断面図（２点鎖線による円内））、下段外側円筒１４の上端と隔壁部材１５とを、上段外側円筒１３の下端と隔壁部材１５とをそれぞれ全周にわたり液密に溶着する（図中の符号Ｗは、溶接時に溶接棒が溶融されたものを示す）。このとき、下段外側円筒１４の上端と上段外側円筒１３の下端は、このスペーサを取り外した隙間からそれぞれの全周にわたって隔壁部材１５に外側から溶接により液密に固定することができるので、上下段の冷媒空間Ｓ１，Ｓ２を確実に隔てられることになる。これにより、上段の冷媒空間Ｓ１から下段の冷媒空間Ｓ２に冷媒が流れ落ちることがなくなり、上段の冷媒空間Ｓ１に冷媒が不足することで製氷面の中間部から上部に氷の出来が悪くなる部分を無くすことができる。その後、内側円筒１１と上段外側円筒１３のそれぞれの上端に上側のフランジ１７を溶着する。製氷ドラム１０は、内側円筒１１に外側円筒１２（上段外側円筒１３と下段外側円筒１４）を嵌め込んだ状態で、外側円筒１２の外周面に断熱材２０を吹き付けられて筒形のケース２１に収容される。
【０００９】
図１に示すように、製氷ドラム１０の中心軸となる位置には、回転軸２３が設けられており、この回転軸２３は、製氷ドラム１０の上下位置に設けられた軸受２４、２５により回転可能に支持されている。製氷ドラム１０の上側には、ギヤードモータ２６が配設されており、このギヤードモータ２６の出力軸２６ａは回転軸２３の上端とカップリング２７を介して連結されている。
【００１０】
回転軸２３には、軸線方向に延びる取付板２８が回転軸２３の半径方向に取り付けられており、この取付板２８には内側円筒１１の内周面に生成された氷を削るための剥離刃２９が固定されている。剥離刃２９は、内側円筒１１の内周面の全高に略等しい板状をなし、内側円筒１１の内周面と対向する先端に多数の鋸刃が形成されている。なおこの剥離刃２９は、内側円筒１１の内周面に僅かな隙間を設けた位置で取付板２８に固定されている。ギヤードモータ２６を回転させると、回転軸２３とともに取付板２８に固定されている剥離刃２９が内側円筒１１の内周面に沿って回転し、製氷面に生成される氷を剥離させる。
【００１１】
図１に示すように、回転軸２３には、製氷ドラム１０の上端となる高さ位置に円形の散水タンク３０が一体回転可能に取り付けられている。散水タンク３０の外周面には、複数の散水パイプ３１が半周にわたって放射状に突設されており、これら散水パイプ３１は、製氷ドラム１０の内側円筒１１の内周面の上端に指向している。散水タンク３０には、図示しない製氷水タンクから製氷水が供給される給水管３２が取り付けられている。給水管３２により散水タンク３０に供給された製氷水は、各散水パイプ３１から内側円筒１１の内周面の上端に散水され、内側円筒１１の内周面を流下する。
【００１２】
図１に示すように、ケース２１内には、製氷ドラム１０の下側に散水タンク３０から内側円筒１１の内周面を流下して製氷されなかった製氷水を受ける環形の落水受３３が形成されている。この落水受３３に設けられた流出口３３ａが上記の製氷水タンクに接続されている。
【００１３】
図４に示すように、ドラム式製氷機は、冷凍装置４０を備えており、この冷凍装置４０は、冷媒を圧縮する圧縮機４１と、圧縮機４１により圧送された冷媒を冷却して凝縮する凝縮器４２と、凝縮器４２により凝縮された冷媒を一時的に貯える受液器４３と、受液器４３から送られる冷媒を電気制御により冷媒の通過を許容または禁止するライン電磁弁４４と、受液器４３から送られる冷媒を膨張させる膨張弁４５，４５と、膨張された冷媒を両円筒１１，１２との間の冷媒空間Ｓ１，Ｓ２とにそれぞれ形成される各冷媒通路に通して蒸発させることにより内側円筒１１の内周面を冷却する蒸発器とを備えている。
【００１４】
上記のように構成したドラム式製氷機では、冷凍装置４０の圧縮機４１から圧送される冷媒は、凝縮器４２で冷却されて凝縮して受液器４３に送られる。受液器４３に送られた冷媒は気液分離され、液化冷媒はライン電磁弁４４を通って膨張弁４５，４５に送られて膨張する。膨張弁４５，４５により膨張した低温低圧の液化冷媒は、各冷媒流入口１３ａ，１４ａから各冷媒空間Ｓ１，Ｓ２に流入して冷媒通路を通過しながら内側円筒１１の内周面と熱交換することで蒸発して冷却し、冷媒流出口１３ｂ，１４ｂから流出して圧縮機４１に還流する。内側円筒１１の内周面が冷却されている状態で、散水タンク３０内の製氷水は各散水パイプ３１により内側円筒１１の内周面の上端に散水され、内側円筒１１の内周面を流下しながら製氷される。内側円筒１１の内周面に生成した氷は、内側円筒１１の内周面に沿って回転する剥離刃２９により剥ぎ取られて貯氷庫Ｈに落下する。
【００１５】
上記のように構成したドラム式製氷機では、外側円筒１２は隔壁部材１５となる位置で分かれる上下二段の円筒（上段外側円筒１３と下段外側円筒１４）より構成され、上段外側円筒１３の下端と下段外側円筒１４の上端は、全周にわたり隔壁部材１５に液密に溶着しているので、上段の冷媒空間Ｓ１から下段の冷媒空間Ｓ２に冷媒が流れ落ちることなく、上段の冷媒空間Ｓ１で冷媒が不足することがない。これにより、内側円筒１１の製氷面では、中間部から上部に冷媒が不足して氷ができにくくなることで製氷能力が低下することがない。また、外側円筒１２の外周面には、断熱材２０が吹き付けられて隙間なく筒形ケース２１に収容されているので、外側円筒１２が隔壁部材１５に押しつけられてその固定をより強固なものとなっている。
【００１６】
上記の実施形態のドラム式製氷機において、製氷ドラム１０は内側円筒１１に螺旋状の仕切部材１６，１６を溶着して螺旋状の冷媒通路を形成するようにしているが、本発明はこれにこれに限られるものでなく、例えば、図５に示すように、内側円筒１１の外周面に環の一部が完全に欠けた複数の仕切部材１６Ａを軸線方向に等間隔に配置し、仕切部材１６Ａの一方の端部とこの仕切部材１６Ａの上側の仕切部材１６Ａの他方の端部とを接続する複数の補助仕切部材１６Ａａにより各仕切部材１６Ａの間に形成される冷媒通路を上下に連続させて螺旋状の冷媒通路を形成させたものでもよい。
【００１７】
上記の実施形態のドラム式製氷機において、製氷ドラム１０は、上下２段の冷媒空間Ｓ（Ｓ１，Ｓ２）を形成するようになっているが、本発明はこれに限られるものでなく、２段以上の冷媒空間Ｓ（Ｓ１，Ｓ２，Ｓ３・・・）を形成するようなものでもよい。
【図面の簡単な説明】
【００１８】
【図１】本発明の一実施形態に係るドラム式製氷機の断面図である。
【図２】製氷ドラムを示す図である。
【図３】製氷ドラムの製造工程を示す図。
【図４】本発明の冷凍装置のブロック図である。
【図５】製氷ドラムの他の実施形態を示す図である。
【符号の説明】
【００１９】
１１…内側円筒、１２…外側円筒、１３…上段外側円筒、１４…下段外側円筒、１５…隔壁部材、Ｓ…冷媒空間。
【図１】
2009168407.tif 000003
【図２】
2009168407.tif 000004
【図３】
2009168407.tif 000005
【図４】
2009168407.tif 000006
【図５】
2009168407.tif 000007